(57)【要約】【課題】カメラ機能を備える携帯端末装置等の機器に搭載されるカメラモジュール及びその取付け構造に関し、カメラモジュールを搭載する機器の薄型化を図ることにある。【解決手段】カメラ機能を備える携帯端末装置等の機器に搭載されるカメラモジュール、その取付け構造及び機器に関し、鏡筒部（２６）を覆い、前記機器の筐体（前面側筐体部６）の窓部（１０）から露出させるパネル（１４）を一体に備える。機器の製造方法は、パネルを一体に備えるカメラモジュールを筐体に取付ける工程を含む構成である。機器の筐体側にカメラモジュールと別個にパネルを設置する必要がなく、機器の薄型化が図られ、カメラモジュールがパネルによって防護されるので、鏡筒部に異物侵入、異物付着、損傷発生等を防止でき、カメラモジュールの取扱いが容易になる。【選択図】図１
2008252694.tif 000002
【特許請求の範囲】
【請求項１】
機器に搭載されるカメラモジュールであって、
鏡筒部を覆い、前記機器の筐体の窓部から露出させるパネルを一体に備えることを特徴とするカメラモジュール。
【請求項２】
請求項１のカメラモジュールにおいて、
前記パネルは、前記カメラモジュールのケース部に取り付けられていることを特徴とするカメラモジュール。
【請求項３】
請求項１のカメラモジュールにおいて、
前記パネルは、前記鏡筒部を支持するフレーム部に取り付けられていることを特徴とするカメラモジュール。
【請求項４】
請求項１のカメラモジュールにおいて、
前記パネルは、前記鏡筒部に取り付けられていることを特徴とするカメラモジュール。
【請求項５】
請求項１、２、３又は４のカメラモジュールにおいて、
前記パネルは、接着材で取り付けられていることを特徴とするカメラモジュール。
【請求項６】
請求項１のカメラモジュールにおいて、
前記パネルは、前記窓部に対応する突部を備えることを特徴とするカメラモジュール。
【請求項７】
請求項１のカメラモジュールにおいて、
前記パネルは、
前記鏡筒部に光を導く導光部と、この導光部を包囲して遮光する遮光部とを備えることを特徴とするカメラモジュール。
【請求項８】
機器に搭載されるカメラモジュールの取付け構造であって、
鏡筒部を覆い、前記機器の筐体の窓部から露出させるパネルを一体に備えるカメラモジュールを前記筐体に取り付けたことを特徴とするカメラモジュールの取付け構造。
【請求項９】
カメラモジュールが搭載された機器であって、
前記カメラモジュールが鏡筒部を覆うパネルを一体に備え、前記パネルを筐体の窓部から露出させたことを特徴とする機器。
【請求項１０】
カメラモジュールが搭載される機器の製造方法であって、
鏡筒部を覆い、前記機器の筐体の窓部から露出させるパネルを一体に備えるカメラモジュールを前記筐体に取り付ける工程を含むことを特徴とする機器の製造方法。
【発明の詳細な説明】
【技術分野】
【０００１】
本発明は、携帯端末装置等の機器に搭載されるカメラモジュールの構造に関し、特に、搭載される機器の薄型化に寄与するカメラモジュール、その取付け構造、機器及びその製造方法に関する。
【背景技術】
【０００２】
カメラ機能を備える携帯端末装置等の機器ではカメラモジュールが搭載されている。このカメラモジュールを搭載した機器では、その筐体にカメラモジュールが取付けられ、筐体に形成された窓部からカメラモジュールに光を取り込む構造が用いられている。
【０００３】
このようなカメラモジュール及びその取付け構造に関し、特許文献１には、携帯電話機の外装カバーに撮影用の開口が透明な保護プレートによって塞がれ、その開口内部にはカメラモジュールの光学ユニットが挿入されていることが開示されている。
【０００４】
また、特許文献２には、カメラモジュールの鏡筒部の外周面上にクッションを嵌合させ、カメラモジュール保持フレームを基板と装置筐体とにより挟止し、保持フレームと装置筐体との間にクッションが圧入されていることが開示されている。
【特許文献１】特開２００５−２８６８８８（段落番号００１２、図１）
【特許文献２】特開２００６−１６３００６（要約、図１）
【発明の開示】
【発明が解決しようとする課題】
【０００５】
ところで、カメラ機能を備える携帯端末装置等、カメラモジュールを搭載した機器、とりわけ携帯端末装置では軽薄短小化が進められており、これに伴ってカメラモジュールも小型化、薄型化が図られている。カメラモジュールが薄くなれば、機器も薄く形成されるが、カメラモジュールの取付け構造によっては、機器側の薄型化が妨げられる。カメラモジュールの取付けには、防塵パッキンやカメラパネル等の周辺構造部品が必要であり、これらの部品が機器側の薄型化を妨げる。
【０００６】
このようなカメラモジュールの取付け構造に関し、図２５を参照する。図２５は、カメラモジュールが搭載される機器として、携帯端末装置におけるカメラモジュールの取付け構造を示している。この携帯端末装置１００では、カメラモジュール１０２が前面側筐体部１０４と背面側筐体部１０６との間に設置され、前面側筐体部１０４には開口１０８が形成されているとともに、前面側筐体部１０４の内側にはパネル１１０を貼り付けるためのパネル貼付部１１２が突出されて形成されている。パネル貼付部１１２には開口１０８を塞ぐためのパネル１１０が両面接着テープ１１４により接着され、パネル貼付部１１２とカメラモジュール１０２との間には防塵パッキン１１６が挿入されている。
【０００７】
このような取付け構造について、パネル１１０の厚さをｄ11、両面接着テープ１１４の厚さをｄ12、パネル貼付部１１２の厚さをｄ13、防塵パッキン１１６の厚さをｄ14、カメラモジュール１０２の厚さをｄ15とすると、カメラモジュール１０２の取付け部の厚さＤｐは、Ｄｐ＝ｄ11＋ｄ12＋ｄ13＋ｄ14＋ｄ15となる。取付け部の厚さＤｐに対し、ｄ11、ｄ12、ｄ13、ｄ14が大きく支配しており、携帯端末装置１００の薄型化を妨げている。
【０００８】
また、このようなカメラ機能を備える携帯端末装置１００にあっては、カメラモジュール１０２の機能テストは、カメラモジュール１０２の単体で実行され、また、携帯端末装置１００に搭載された後にもその機能テストが実行される。携帯端末装置１００に搭載されたカメラモジュール１０２では、前面にパネル１１０が設置されているので、その機能テストはパネル１１０を介在させたテストとなる。カメラモジュール１０２の単体では、優れたテスト結果が得られても、パネル１１０を介在させると、思わしくないテスト結果が得られ、搭載前後でテスト結果が異なってしまうといった不都合がある。携帯端末装置１００の組立て途上でパネル１１０に傷が発生すると、その傷がカメラ機能に影響する不都合もある。
【０００９】
また、このようにパネル１１０とカメラモジュール１０２との距離が離れた場合には、図２６に示すように、画角θを確保するための導光部１１８の開口径φｐは大きくなり、遮光部を成す印刷枠１２０の最小開口径が大きくなる。
【００１０】
ところで、パネル１１０が前面側筐体部１０４に強固に固着している場合には、ユーザの取扱い上、パネル１１０に傷が生じた場合にその前面側筐体部１０４を全面的に交換することとなり、また、前面側筐体部１０４にカメラモジュール１０２が強固に取り付けられている場合には、カメラモジュール１０２も含めた交換となり、斯かる修理交換はコスト高になるという不都合がある。
【００１１】
斯かる要求や課題について、特許文献１や特許文献２にはその開示や示唆はなく、それを解決する構成等についての開示や示唆はない。
【００１２】
そこで、本発明の目的は、カメラ機能を備える携帯端末装置等の機器に搭載されるカメラモジュール及びその取付け構造に関し、カメラモジュールを搭載する機器の薄型化を図ることにある。
【００１３】
また、本発明の他の目的は、カメラ機能を備える携帯端末装置等の機器に搭載されるカメラモジュールに関し、機器への搭載後と同様のカメラ機能のテストが行えるカメラモジュールを提供することにある。
【００１４】
また、本発明の他の目的は、カメラモジュールが搭載される機器及びその製造方法に関し、機器の薄型化を図ることにある。
【００１５】
また、本発明の他の目的は、装置内にある内部情報源、ネットワークにより接続された外部情報源の情報検索に関し、検索条件に対する検索結果の評価機能を向上させることにある。
【課題を解決するための手段】
【００１６】
上記目的を達成するため、本発明は、カメラ機能を備える携帯端末装置等の機器に搭載されるカメラモジュール、その取付け構造及び機器に関し、鏡筒部を覆い、前記機器の筐体の窓部から露出させるパネルを一体に備えることにより、機器の筐体側にカメラモジュールと別個にパネルを設置する必要はなく、機器の薄型化が図られ、カメラモジュールがパネルによって防護されるので、鏡筒部に異物侵入、異物付着、損傷発生等を防止でき、カメラモジュールの取扱いが容易になるとともに、レンズ保護シートや防塵パッキン等の補助的部材を削減でき、また、レンズとパネルとの距離を短縮でき、パネルにある導光窓部の開口径を小さくでき、また、機器への搭載後と同様にカメラモジュールのカメラ機能テストが行える。また、本発明の機器の製造方法は、パネルを一体に備えるカメラモジュールを筐体に取付ける工程を含む構成であり、パネルが一体化されたカメラモジュールでは、その取扱いが容易化するとともに、防護部品等が削減され、機器の製造が容易化される。
【００１７】
上記目的を達成するため、本発明の第１の側面は、機器に搭載されるカメラモジュールであって、鏡筒部を覆い、前記機器の筐体の窓部から露出させるパネルを一体に備える構成である。斯かる構成により、既述の通り、上記目的が達成される。
【００１８】
上記目的を達成するためには、上記カメラモジュールにおいて、好ましくは、前記パネルは、前記カメラモジュールのケース部に取り付けられてもよいし、前記鏡筒部を支持するフレーム部に取り付けられてもよいし、前記鏡筒部に取り付けられてもよいし、接着材で取り付けられる構成としてもよいし、前記窓部に対応する突部を備える構成としてもよいし、また、前記鏡筒部に光を導く導光部と、この導光部を包囲して遮光する遮光部とを備える構成としてもよい。斯かる構成によっても上記目的が達成される。
【００１９】
上記目的を達成するため、本発明の第２の側面は、機器に搭載されるカメラモジュールの取付け構造であって、鏡筒部を覆い、前記機器の筐体の窓部から露出させるパネルを一体に備えるカメラモジュールを前記筐体に取り付けた構成である。斯かる構成により、機器の薄型化が図られる等、上記目的が達成される。
【００２０】
上記目的を達成するため、本発明の第３の側面は、カメラモジュールが搭載された機器であって、前記カメラモジュールが鏡筒部を覆うパネルを一体に備え、前記パネルを筐体の窓部から露出させた構成である。斯かる構成により、機器の薄型化が図られる等、上記目的が達成される。
【００２１】
上記目的を達成するため、本発明の第４の側面は、カメラモジュールが搭載される機器の製造方法であって、鏡筒部を覆い、前記機器の筐体の窓部から露出させるパネルを一体に備えるカメラモジュールを前記筐体に取り付ける工程を含む構成である。斯かる構成により、パネルが一体化されたカメラモジュールにより、その取扱いが容易化し、しかも、防護部品等が削減される等、機器の製造が容易化し、上記目的が達成される。
【発明の効果】
【００２２】
本発明によれば、次のような効果が得られる。
【００２３】
(1) 本発明のカメラモジュールによれば、カメラモジュールが搭載される機器の筐体の窓部から露出させるパネルを一体に備えたので、機器に搭載前にカメラモジュールの鏡筒部やレンズがパネルによって防護され、鏡筒部への異物侵入、レンズへの異物付着や損傷を防止でき、カメラモジュールの取扱いが容易になり、レンズとパネルとの距離を短縮でき、パネルにある導光窓部の開口径を小さくでき、また、機器への搭載後と同様にカメラモジュールのカメラ機能テストを行うことができ、パネルを備えたカメラモジュールの出荷時の撮影試験が可能であるため、パネルの導光機能を前提とした画質保証が可能となり、カメラモジュールの信頼性が高められる。
【００２４】
(2) 本発明のカメラモジュールの取付け構造によれば、カメラモジュールが搭載される機器の筐体の窓部から露出させるパネルを一体に備えたので、カメラモジュールを搭載する機器側にカメラモジュールと別個にパネルを設置する必要がなく、取付け構造の簡略化を図ることができ、カメラモジュールの鏡筒部を防護でき、カメラモジュールを搭載する機器の薄型化を図ることができる。
【００２５】
(3) 本発明の機器によれば、カメラモジュールにパネルを一体に備えたので、カメラモジュールと別個にパネルを設置する必要がなく、取付け構造の簡略化を図ることができる。また、薄型化を図ることができ、傷等を生じたパネルをカメラモジュールから外すことにより対処できるので、修理交換のコストを低減することができる。
【００２６】
(4) 本発明の機器の製造方法によれば、パネルを一体に備えるカメラモジュールを筐体に取り付けるので、製造工程上、カメラモジュールの取扱いが容易化するとともに、防護部品等が削減され、機器の製造の容易化が図られる。
【発明を実施するための最良の形態】
【００２７】
〔第１の実施の形態〕
【００２８】
本発明の第１の実施の形態について、図１及び図２を参照する。図１は、カメラモジュール、カメラモジュールの取付け構造、携帯端末装置の一例を示す図、図２は、カメラモジュールの概要を示す図である。
【００２９】
携帯端末装置２は、カメラ機能を備える機器、カメラモジュール、カメラモジュールの取付け構造、カメラモジュールを搭載した機器の一例であって、図１に示すように、筐体として前面側筐体部６と背面側筐体部８とを備えている。前面側筐体部６には、光をカメラモジュール４に導くための窓部１０が形成されているとともに、この窓部１０を包囲して支持壁１２が前面側筐体部６の内側に立設されている。
【００３０】
カメラモジュール４にはその前面部を覆うパネル１４が一体に備えられ、このパネル１４は接着材として例えば、両面接着テープ１６によってカメラモジュール４に貼り付けられ、カメラモジュール４とパネル１４とが一体化されている。パネル１４の前面部には、窓部１０に対応する突部１８が形成され、この突部１８の高さｈは、カメラモジュール４を取り付けられる部位の前面側筐体部６の厚さｔに対応させ、この場合、ｈ＝ｔとなっている。パネル１４には導光部２０を中心に遮光部２２が印刷によって形成されている。この実施の形態では、遮光部２２で包囲された突部２３が形成され、この突部２３をカメラモジュール４側に配置しているが、パネル１４の背面側はフラット面としてもよいし、遮光部２２を構成する印刷面部が突出していてもよい。
【００３１】
カメラモジュール４には例えば、図２に示すように、フレーム部２４が設置されており、その内部に鏡筒部２６が備えられ、フレーム部２４は、鏡筒部２６を支持する支持部材であり、鏡筒部２６には、複数のレンズからなるレンズユニット２８が設置されている。レンズユニット２８の背面側には、センサパッケージ３０が設置され、このセンサパッケージ３０の内部には撮影手段としてイメージセンサ３２が設置され、鏡筒部２６の周囲部にはフォーカス機構部３４が設置されている。また、フレーム部２４の前面及び側面を覆う外装部材としてケース部３６が設置され、このケース部３６は、例えば、金属板で形成されている。
【００３２】
このようにパネル１４が一体化されたカメラモジュール４を搭載する携帯端末装置２では、前面側筐体部６の肉厚内にパネル１４が挿入されるので、そのパネル１４の厚さをｄ1 、両面接着テープ１６の厚さをｄ2 、カメラモジュール４の厚さをｄ3 とすると、カメラモジュール４の取付け部の厚さＤｉは、Ｄｉ＝ｄ1 ＋ｄ2 ＋ｄ3 となり、従来のもの（図２５）に比較し、パネル貼付部１１２（図２５）や防塵パッキン１１６（図２５）が不要となっているので、Ｄｉ＜Ｄｐとなっている。即ち、カメラモジュール４にパネル１４を一体化したことにより、携帯端末装置１００が薄型化されている。
【００３３】
次に、携帯端末装置２の製造について、図３を参照する。図３は、携帯端末装置のカメラモジュール取付け部分を示すとともに、製造工程を示す分解断面図である。図３において、図１と同一部分には同一符号を付してある。
【００３４】
携帯端末装置２の前面側筐体部６には、窓部１０が形成されるとともに支持壁１２が形成され、これらは例えば、前面側筐体部６を合成樹脂で一体成形する際、同時に形成される。
【００３５】
カメラモジュール４は、鏡筒部２６（図２）を覆い、前面側筐体部６の窓部１０から露出させるパネル１４を一体に備えており、パネル１４が両面接着テープ１６により貼り付けられ、カメラモジュール４の内部がパネル１４によって防護されている。このカメラモジュール４のパネル１４の貼付け加工は、カメラモジュール４の製造工程で行ってもよいし、携帯端末装置２の製造工程の前処理で行ってもよい。このように、パネル１４が一体化されたカメラモジュール４は、出荷時に携帯端末装置２に実装される前に撮影試験等、機能テストを行えば、携帯端末装置２への実装後と同様に、パネル１４が取り付けられた状態での機能テストが行える。
【００３６】
カメラモジュール４は、一体化されたパネル１４の突部１８を前面側筐体部６の窓部１０に挿入するとともに、前面側筐体部６の支持壁１２に支持させ、カメラモジュール４の背面側に背面側筐体部８を設置し、前面側筐体部６と背面側筐体部８との間に挟み込んで取り付けられる。
【００３７】
このように、携帯端末装置２に取り付けられたカメラモジュール４は、携帯端末装置８の窓部１０からパネル１４が露出している。
【００３８】
カメラモジュール、その取付け構造、カメラモジュールを備えた携帯端末装置及びその製造方法について、特徴事項を列挙すれば、次の通りである。
【００３９】
(1) カメラモジュール４にパネル１４を一体化した状態にて携帯端末装置２に実装することができ、カメラモジュール４と別個のパネルが不要である。
【００４０】
(2) カメラモジュール４とパネル１４とを一体化したので、カメラモジュール４の鏡筒部２６がパネル１４で防護され、異物付着、異物侵入、汚れから鏡筒部２６やレンズユニット２８を防護でき、カメラモジュール４の取り扱いが容易になる。
【００４１】
(3) カメラモジュール４にパネル１４を貼り付けることにより、レンズ保護シートや防塵パッキン等の部材を削減することができ、カメラモジュール４の取付け構造の簡略化とともに、携帯端末装置２の薄型化に寄与する。
【００４２】
(4) パネル１４を一体化した状態でカメラモジュール４の出荷時又は製造段階での撮影試験が可能となり、パネル１４による画質劣化を含めた画質保証が可能となる。
【００４３】
(5) レンズユニット２８の対物レンズとパネル１４の距離が近づくため、パネル１４の導光部２０の周囲に形成された遮光部２２を成す印刷枠の最小開口径を小さくすることができ、携帯端末装置２のデザインの自由度が向上する。この点について、図４を参照すると、パネル１４とカメラモジュール４との距離が短縮されるので、従来の場合（図２６）と同様の画角θを確保する場合、導光部２０の開口径φｉが小さくなり、遮光部２２を成す印刷枠の最小開口径を小さくできる。
【００４４】
〔第２の実施の形態〕
【００４５】
本発明の第２の実施の形態について、図５及び図６を参照する。図５は、本発明に係るカメラモジュール、その取付け構造を適用した携帯端末装置の一例を示す斜視図、図６は、図５のVI─VI線部分の部分切断端面図である。図５及び図６において、図１と同一部分には、同一符号を付してある。
【００４６】
携帯端末装置２は、図５に示すように、固定側筐体部３８と可動側筐体部４０とをヒンジ部４２で連結し、開閉可能に構成したものであって、固定側筐体部３８にはキーボード等の入力操作部が設置され、可動側筐体部４０にはＬＣＤ（Liquid Crystal Display）表示部が設置され、その前面側筐体部６には、長方形状の窓部１０が形成され、窓部１０に対応してカメラモジュール４が搭載されている。カメラモジュール４には、パネル１４が一体に取り付けられている。
【００４７】
この第２の実施の形態では、図６に示すように、カメラモジュール４のケース部３６の上面部にパネル１４が両面接着テープ１６を以て貼り付けられ、カメラモジュール４と一体化されている。パネル１４の突部１８にはテーパ面４４が形成され、前面側筐体部６から突部１８が突出した際の引っ掛かり等の異物感を生じるのを防止している。
【００４８】
背面側筐体部８には、支持壁１２に対向する支持壁４６が形成され、この支持壁４６で位置決めされるカメラモジュール４を収納するカメラモジュール収納部４８が形成されており、カメラモジュール４は、カメラモジュール収納部４８に収納されるとともに、前面側筐体部６と背面側筐体部８との間に挟み込まれて保持される。その他の構成については、第１の実施の形態と同様であるので、同一符号を付しその説明を省略する。
【００４９】
次に、カメラモジュール４の取付け構造について、図７及び図８を参照する。図７は、携帯端末装置を示す分解斜視図、図８は、前面側筐体部を内側から見て示す図である。図７及び図８において、図５、図６と同一部分には同一符号を付してある。
【００５０】
図７に示すように、カメラモジュール４にはパネル１４が一体に貼り付けられており、カメラモジュール４のセンサパッケージ３０から引き出されたフレキシブルリード部５０にはコネクタ部５２が取り付けられている。
【００５１】
可動側筐体部４０の背面側筐体部８にはヒンジ部４２の近傍にカメラモジュール収納部４８が形成されており、このカメラモジュール収納部４８には、カメラモジュール４とともに、フレキシブルリード部５０が折り曲げられて収納され、フレキシブルリード部５０のコネクタ部５２が背面側筐体部８に設置されている回路基板５４のコネクタ部５６に接続される。
【００５２】
カメラモジュール４は、背面側筐体部８に取り付けられる前面側筐体部６により覆われ、その窓部１０にはカメラモジュール４のパネル１４の突部１８が露出する。前面側筐体部６には、ヒンジ部４２の上面を覆うヒンジカバー部５８が形成されているとともに、図８に示すように、カメラモジュール４を包囲して位置決めし、横移動を阻止するための既述の支持壁１２が形成されている。
【００５３】
また、前面側筐体部６には、固定用側壁部６０が形成されるとともに、その内側に固定爪６２が形成されており、この固定爪６２が背面側筐体部８の係止凹部６４に係止されることにより、前面側筐体部６と背面側筐体部８とが固定され、これら前面側筐体部６と背面側筐体部８との間にカメラモジュール４が強固に保持され、固定される。
【００５４】
このような取付け構造によれば、背面側筐体部８のカメラモジュール収納部４８に収納されているカメラモジュール４は前面側筐体部６に接着固定されていないので、背面側筐体部８に係止された前面側筐体部６を外すことにより、フレキシブルリード部５０の長さに応じてカメラモジュール収納部４８から取り出すことができ、さらに、フレキシブルリード部５０のコネクタ部５２を回路基板５４のコネクタ部５６から外せば、カメラモジュール４を携帯端末装置２から分離させることができ、カメラモジュール４の着脱やパネル１４の交換や修理等が容易に行える。
【００５５】
次に、カメラモジュール４とパネル１４の一体化及びその組立てについて、図９、図１０、図１１及び図１２を参照する。図９、図１０、図１１及び図１２において、図６及び図７と同一部分には同一符号を付してある。
【００５６】
図９に示すように、カメラモジュール４の上面形状とパネル１４の平面形状はほぼ同一である。このパネル１４は透明なアクリル板等の合成樹脂板で形成されている。このパネル１４の背面部には、図１０のＡに示すように、円形の導光部２０が形成され、この導光部２０は、カメラモジュール４の鏡筒部２６の光軸を中心に鏡筒部２６と同心円状である。この導光部２０を除いて、印刷によって遮光部２２が形成されている。この遮光部２２がいわゆる印刷枠を構成している。
【００５７】
また、パネル１４の背面には、図１０のＢに示すように、遮光部２２の上面に接着材である両面接着テープ１６が貼り付けられ、この両面接着テープ１６の接着力によってカメラモジュール４のケース部３６の上面に貼り付けられる。これにより、カメラモジュール４の鏡筒部２６がパネル１４によって覆われ、防護される。このように、パネル１４には、遮光部２２とともに導光部２０が選択的に形成されているので、前面側筐体部６にある窓部１０から導光部２０を通じてカメラモジュール４の鏡筒部２６に光が導かれる。
【００５８】
パネル１４はアクリル板等の透明な合成樹脂板によって成形され、図１１及び図１２に示すように、支持テープ６６に印刷形成された両面接着テープ１６に設置され、その背面に両面接着テープ１６が貼り付けられる。図１２は、図１１のXII −XII 線断面図である。支持テープ６６には、両面接着テープ１６を除くための貫通孔６８が形成され、パネル１４の上面を保護するための保護シート７０が設置され、また、支持テープ６６の背面には、貫通孔６８から露出するパネル１４の背面を防護するための保護シート７２が設置され、カメラモジュール４に貼り付けられる前のパネル１４の防護が図られている。
【００５９】
そこで、カメラモジュール４には、その製造工程において、パネル１４の背面に両面接着テープ１６が貼り付けられた後、そのパネル１４がカメラモジュール４の上面に貼り付けられ、カメラモジュール４との一体化が図られる。そして、パネル１４はカメラモジュール４に両面接着テープ１６で貼り付けられているが、前面側筐体部６とは独立した状態にあるので、損傷等によりパネル１４を交換する場合には、カメラモジュール４からパネル１４のみを外して交換することができ、メンテナンス工数の削減が図られるとともに、パネル１４の損傷のみでカメラモジュール４の全体を交換するという不都合がなく、修理コストの低減が図られる。
【００６０】
〔第３の実施の形態〕
【００６１】
本発明の第３の実施の形態について、図１３及び図１４を参照する。上記実施の形態では、前面側筐体部６に対してカメラモジュール４に一体化されたパネル１４を直接接触させているが、図１３に示すように、前面側筐体部６とパネル１４との間にウレタン等の弾性パッキン７４を設置し、カメラモジュール４を弾性パッキン７４が持つ弾性により前面側筐体部６と背面側筐体部８との間に保持する構成としてもよい。このような弾性パッキン７４を装着すれば、耐震性及び防水性が高められ、衝撃からカメラモジュール４を防護できるとともに、水や異物侵入から筐体内部を防護することができる。
【００６２】
弾性パッキン７４は、図１４に示すように、パネル１４の平面形状に対応する形状であって、パネル１４の突部１８を貫通させる貫通孔７６を形成すればよい。
【００６３】
〔第４の実施の形態〕
【００６４】
本発明の第４の実施の形態について、図１５を参照する。上記実施の形態では、パネル１４の背面側をフラット面としたが、図１５に示すように、パネル１４の背面側に両面接着テープ１６及びカメラモジュール４のケース部３６の厚みに相当する突部７８を形成し、この突部７８がカメラモジュール４のフレーム部２４の上面に当接して支持する構成としてもよい。斯かる構成によれば、パネル１４がカメラモジュール４に強固に貼り付けられ、より強固な一体化が図られる。
【００６５】
〔第５の実施の形態〕
【００６６】
本発明の第５の実施の形態について、図１６及び図１７を参照する。上記実施の形態では、パネル１４がカメラモジュール４のケース部３６の上面に貼り付けられているが、図１６に示すように、ケース部３６を除いて露出させたフレーム部２４の上面に設置する構成としてもよい。
【００６７】
カメラモジュール４の上面部からケース部３６を、図１７に示すように、円形状に除き、フレーム部２４を露出させ、このフレーム部２４にパネル１４を両面接着テープ１６で接着する構成とすればよい。この場合、パネル１４及び突部１８は円板状に形成してもよく、その場合、前面側筐体部６の窓部１０も円形とする。
【００６８】
このように、ケース部３６を除いて露出させたフレーム部２４にパネル１４を貼り付ける構成とすれば、カメラモジュール４からパネル１４の突出長をより削減でき、携帯端末装置２等、搭載機器の薄型化を図ることができる。
【００６９】
〔第６の実施の形態〕
【００７０】
本発明の第６の実施の形態について、図１８、図１９及び図２０を参照する。上記実施の形態では、パネル１４がカメラモジュール４のケース部３６又はフレーム部２４に貼り付けられているが、図１８に示すように、パネル１４をカメラモジュール４の鏡筒部２６に両面接着テープ１６で貼り付けるようにしてもよい。カメラモジュール４の鏡筒部２６が円形であれば、パネル１４も円形とし、前面側筐体部６の窓部１０の形状も円形とすればよい。斯かる構成とすれば、カメラモジュール４からパネル１４の突出長をより削減でき、携帯端末装置２等、搭載機器の薄型化を図ることができる。
【００７１】
〔第７の実施の形態〕
【００７２】
本発明の第７の実施の形態について、図２１を参照する。上記実施の形態では、パネル１４が平板で形成されているが、図２１に示すように、パネル１４の凸レンズ化等、パネル１４にレンズ機能を持たせてもよい。
【００７３】
〔他の実施の形態〕
【００７４】
(1) 上記実施の形態では、カメラモジュール４が搭載される機器として携帯端末装置２を例示したが、本発明は、カメラモジュール４が搭載される機器であれば、どのようなものでもよく、例えば、図２２に示すように、携帯情報端末機（ＰＤＡ：Personal Digital Assistant）に適用してもよいし、また、例えば、図２３に示すように、パーソナルコンピュータ（ＰＣ）に適用してもよいし、また、ディジタルカメラ、ゲーム機器等に適用してもよく、実施の形態の例示に限定されるものではない。
【００７５】
図２２に示すように、ＰＤＡ７８では、筐体部８０に表示部８２が設置され、この表示部８２の上側に、パネル１４が一体化されたカメラモジュール４が搭載されている。図２２において、図１と同一部分には、同一符号を付してある。このような、ＰＤＡ７８においても、上記実施の形態と同様の効果が得られる。
【００７６】
また、図２３に示すように、ＰＣ８４では、表示部側筐体部８６に設置された表示部８８の下側に、パネル１４が一体化されたカメラモジュール４が搭載されている。図２３において、図１と同一部分には、同一符号を付してある。このような、ＰＣ８４においても、上記実施の形態と同様の効果が得られる。
【００７７】
(2) カメラモジュール４に対するパネル１４の接着手段に関し、両面接着テープ１６を例示したが、適当な接着力を備えた接着材を用いてもよく、接着手段が両面接着テープ１６に限定されるものではない。
【実施例】
【００７８】
図２４のＡは、本発明を適用した携帯端末装置の実施例であり、図２４のＢは、図２５と同様に、従来のカメラモジュール取付け構造を適用した比較例である。図２４のＡにおいて、図１、図６、図７と同一部分には同一符号を付してある。また、図２４のＢにおいて、図２５と同一部分には同一符号を付してある。
【００７９】
このような実施例及び比較例において、携帯端末装置２では、携帯端末装置１００に比較して、０．６〔ｍｍ〕以上の薄型化が図れた。従って、本発明のカメラモジュール、その取付け構造を適用すれば、携帯端末装置等、カメラモジュールを搭載する機器において、薄型化を図ることができる。
【００８０】
次に、以上述べた本発明の実施の形態や実施例から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８１】
（付記１）  機器に搭載されるカメラモジュールであって、
鏡筒部を覆い、前記機器の筐体の窓部から露出させるパネルを一体に備えることを特徴とするカメラモジュール。
【００８２】
（付記２）  付記１のカメラモジュールにおいて、
前記パネルは、前記カメラモジュールのケース部に取り付けられていることを特徴とするカメラモジュール。
【００８３】
（付記３）  付記１のカメラモジュールにおいて、
前記パネルは、前記鏡筒部を支持するフレーム部に取り付けられていることを特徴とするカメラモジュール。
【００８４】
（付記４）  付記１のカメラモジュールにおいて、
前記パネルは、前記鏡筒部に取り付けられていることを特徴とするカメラモジュール。
【００８５】
（付記５）  付記１、２、３又は４のカメラモジュールにおいて、
前記パネルは、接着材で取り付けられていることを特徴とするカメラモジュール。
【００８６】
（付記６）  付記１のカメラモジュールにおいて、
前記パネルは、前記窓部に対応する突部を備えることを特徴とするカメラモジュール。
【００８７】
（付記７）  付記１のカメラモジュールにおいて、
前記パネルは、
前記鏡筒部に光を導く導光部と、この導光部を包囲して遮光する遮光部とを備えることを特徴とするカメラモジュール。
【００８８】
（付記８）  付記１のカメラモジュールにおいて、
前記パネルはレンズ機能を備えることを特徴とするカメラモジュール。
【００８９】
（付記９）  機器に搭載されるカメラモジュールの取付け構造であって、
鏡筒部を覆い、前記機器の筐体の窓部から露出させるパネルを一体に備えるカメラモジュールを前記筐体に取り付けたことを特徴とするカメラモジュールの取付け構造。
【００９０】
（付記１０）  付記９のカメラモジュールの取付け構造であって、
前記カメラモジュールは、前記筐体に接着材で取り付けられていることを特徴とするカメラモジュールの取付け構造。
【００９１】
（付記１１）  付記９のカメラモジュールの取付け構造であって、
前記パネルは、前記筐体に接着材で取り付けられていることを特徴とするカメラモジュールの取付け構造。
【００９２】
（付記１２）  付記９のカメラモジュールの取付け構造であって、
前記筐体に前記カメラモジュールを支持する支持壁を備えることを特徴とするカメラモジュールの取付け構造。
【００９３】
（付記１３）  カメラモジュールが搭載された機器であって、
前記カメラモジュールが鏡筒部を覆うパネルを一体に備え、前記パネルを筐体の窓部から露出させたことを特徴とする機器。
【００９４】
（付記１４）  付記１３の機器において、
前記カメラモジュールを前記筐体に取り付けたことを特徴とする機器。
【００９５】
（付記１５）  付記１３の機器において、
前記カメラモジュールのケース部を前記筐体に取り付けたことを特徴とする機器。
【００９６】
（付記１６）  付記１３の機器において、
前記カメラモジュールのフレーム部を前記筐体に取り付けたことを特徴とする機器。
【００９７】
（付記１７）  付記１４、１５又は１６の機器において、
前記筐体部に前記カメラモジュール、前記カメラモジュールのケース部又は前記カメラモジュールのフレーム部が接着材で取り付けられていることを特徴とする機器。
【００９８】
（付記１８）  付記１３の機器において、
前記筐体に前記カメラモジュールを支持する支持壁を備えることを特徴とする機器。
【００９９】
（付記１９）  カメラモジュールが搭載される機器の製造方法であって、
鏡筒部を覆い、前記機器の筐体の窓部から露出させるパネルを一体に備えるカメラモジュールを前記筐体に取り付ける工程を含むことを特徴とする機器の製造方法。
【０１００】
（付記２０）  付記１９の機器の製造方法において、
鏡筒部を覆い、前記機器の筐体の窓部から露出させるパネルを前記カメラモジュール側に取り付ける工程を含むことを特徴とする機器の製造方法。
【０１０１】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０２】
本発明は、携帯端末装置等の機器に搭載されるカメラモジュール、その取付け構造、機器及びその製造方法に関し、カメラモジュールに鏡筒部を覆い、機器の筐体の窓部から露出させるパネルを一体に備えるようにしたので、カメラモジュールを搭載する機器側にカメラモジュールと別個にパネルを設置する必要がなく、取付け構造の簡略化を図ることができ、カメラモジュールの鏡筒部を防護でき、カメラモジュールを搭載する機器の薄型化を図ることができる等、有用である。
【図面の簡単な説明】
【０１０３】
【図１】第１の実施の形態に係るカメラモジュールの取付け構造を示す図である。
【図２】パネルを一体化したカメラモジュールの一例を示す図である。
【図３】携帯端末装置のカメラモジュール取付け部分の一例を示す分解断面図である。
【図４】パネルを一体化したカメラモジュールの画角と印刷枠との関係を示す図である。
【図５】第２の実施の形態に係る携帯端末装置の一例を示す斜視図である。
【図６】図５のVI−VI線部分を示す部分切断端面図である。
【図７】携帯端末装置のカメラモジュール取付け部分を示す分解斜視図である。
【図８】背面側から見た前面側筐体部を示す図である。
【図９】カメラモジュール及びパネルを示す図である。
【図１０】パネルの裏面部を示し、Ａは導光部及び遮光部を示す図、Ｂは両面接着テープを貼り付けた状態を示す図である。
【図１１】カメラモジュールに貼付け前のパネルを示す図である。
【図１２】図１１のXII −XII 線断面図である。
【図１３】第３の実施の形態に係るカメラモジュールの取付け構造を示す図である。
【図１４】弾性パッキン、パネル及びカメラモジュールを示す図である。
【図１５】第４の実施の形態に係るカメラモジュールの取付け構造を示す図である。
【図１６】第５の実施の形態に係るカメラモジュールの取付け構造を示す図である。
【図１７】パネル及びカメラモジュールを示す図である。
【図１８】第６の実施の形態に係るカメラモジュールの取付け構造を示す図である。
【図１９】パネル及びカメラモジュールを示す図である。
【図２０】他のパネル及びカメラモジュールを示す図である。
【図２１】第７の実施の形態に係るカメラモジュールの取付け構造を示す図である。
【図２２】他の実施の形態に係るＰＤＡを示す図である。
【図２３】他の実施の形態に係るＰＣを示す図である。
【図２４】本発明の実施例及び比較例を示し、Ａは本発明を適用した携帯端末装置を示す図、Ｂは従来品である比較例を示す図である。
【図２５】従来のカメラモジュールの取付け構造を示す図である。
【図２６】従来のカメラモジュールの取付け構造における画角と印刷枠との関係を示す図である。
【符号の説明】
【０１０４】
２  携帯端末装置
４  カメラモジュール
６  前面側筐体部
１０  窓部
１２  支持壁
１４  パネル
１６  両面接着テープ
１８  突部
２０  導光部
２２  遮光部
２４  フレーム部
２６  鏡筒部
２８  レンズユニット
３６  ケース部
【図１】
2008252694.tif 000003
【図２】
2008252694.tif 000004
【図３】
2008252694.tif 000005
【図４】
2008252694.tif 000006
【図５】
2008252694.tif 000007
【図６】
2008252694.tif 000008
【図７】
2008252694.tif 000009
【図８】
2008252694.tif 000010
【図９】
2008252694.tif 000011
【図１０】
2008252694.tif 000012
【図１１】
2008252694.tif 000013
【図１２】
2008252694.tif 000014
【図１３】
2008252694.tif 000015
【図１４】
2008252694.tif 000016
【図１５】
2008252694.tif 000017
【図１６】
2008252694.tif 000018
【図１７】
2008252694.tif 000019
【図１８】
2008252694.tif 000020
【図１９】
2008252694.tif 000021
【図２０】
2008252694.tif 000022
【図２１】
2008252694.tif 000023
【図２２】
2008252694.tif 000024
【図２３】
2008252694.tif 000025
【図２４】
2008252694.tif 000026
【図２５】
2008252694.tif 000027
【図２６】
2008252694.tif 000028